(57)【要約】【課題】遊技領域内に配置される入賞口の個数が増加したり、遊技盤面中央に配置される変動入賞装置や図柄表示装置等の各種役物が大型化しても、球を円滑にアウト口へと流入させることのできる遊技盤、遊技盤ユニット及び遊技機を提供すること。【解決手段】この遊技盤１は、球を流下させるための遊技盤面１ｂと、遊技盤面１ｂ上に配置された内レール１２ａによって画定される遊技領域１ａ内に形成され、その周囲に設けられた周辺入賞具１６ａと内レール１２ａとにより形成される流路２２を球１０が通過不可能である位置に形成された周辺入賞口１６と、遊技領域１ａの最下端まで流下した球を排出するために遊技領域１ａの中央最下端近傍に形成された第１アウト口１８と、周辺入賞口１６の上流側に形成されるとともに流路２２に向かう球１０を流入させて排出する第２アウト口１９とを有している。【選択図】図４
2008067939.tif 000002
【特許請求の範囲】
【請求項１】
球を流下させるための遊技盤面と、
該遊技盤面上に配置された内レールによって画定される遊技領域内に形成され、その周囲に設けられた入賞具と前記内レールとにより形成される流路を前記球が通過不可能である位置に形成された入賞口と、
前記遊技領域の最下端まで流下した前記球を排出するために前記遊技領域の中央最下端近傍に形成された第１アウト口と、
前記流路の上流側に形成され、前記流路に向かう前記球を流入させて排出する第２アウト口と、を有する遊技盤。
【請求項２】
球を流下させるための遊技盤面と、
該遊技盤面上に配置された内レールによって画定される遊技領域内に形成され、前記内レールとにより形成される流路を前記球が通過不可能である位置に配置されたゲージと、
前記遊技領域の最下端まで流下した前記球を排出するために前記遊技領域の中央最下端近傍に形成された第１アウト口と、
前記流路の上流側に形成され、前記流路に向かう前記球を流入させて排出する第２アウト口と、を有する遊技盤。
【請求項３】
前記遊技領域内において、前記流路よりも下流側に他の入賞口が形成されていない請求項１又は請求項２に記載の遊技盤。
【請求項４】
前記第１アウト口と前記第２アウト口とが連通して１のアウト口を形成している請求項１から請求項３のうちいずれか１項に記載の遊技盤。
【請求項５】
前記内レールと、
請求項１から請求項４のうちいずれか１項に記載の遊技盤と、
該遊技盤の前記遊技領域内に設けられ、前記球の動作に基づいて所定図柄の変動表示を行う図柄表示装置と、を有する遊技盤ユニット。
【請求項６】
球を前記遊技領域内に向けて発射するための球発射装置と、
前記球を前記球発射装置に導くべく貯留する球皿と、
該球発射装置の駆動及び発射強度調整を行うための発射ハンドルと、
請求項５に記載の遊技盤ユニットと、
該遊技盤ユニットを保持するための保持枠と、
前記遊技盤面と平行に一定距離離間して前記球の流下路を形成する前面ガラスと、
該前面ガラスを保持するガラス保持枠と、を有する遊技機。
【発明の詳細な説明】
【技術分野】
【０００１】
本発明は、遊技盤、遊技盤ユニット及び遊技機に係り、特にアウト口を大型化又は複数化することにより、入賞口の個数の増加やその他の役物の大型化・増加に対応してアウト球の円滑な排出を実現する遊技盤等に関する。
【背景技術】
【０００２】
パチンコ機等の弾球遊技機（以下、遊技機という。）では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このような遊技機において、より一層の興趣向上を図るために遊技盤面上の入賞口の個数を増加させる傾向にある。また、遊技盤の盤面中央に変動入賞装置や図柄表示装置等の役物を配したものもある。
【０００４】
変動入賞装置には、例えばその入賞装置内に遊技演出用のキャラクター人形等の役物と複数種類の入賞口とが配置されている。そして、変動入賞装置内に流入した球が、キャラクター人形等の動作に影響されていずれの種類の入賞口に入賞するかを楽しめるように構成されている。いずれの種類の入賞口に入賞したかに応じて、払い出される景品球数が異なったり、異なる種類の別遊技が開始されたりする。
【０００５】
また、図柄表示装置は、その表示画面に表示された図柄等が変動し特定の表示態様となったときに、遊技者に多量の景品球を獲得させるいわゆる「当り」を構成するためのものである。遊技機にこの図柄変動装置が配されることにより、遊技盤面の入賞口に球が入賞して所定個数の景品球払出しがされる場合のみならず、図柄変動の結果によっても多量の景品球が払い出されるので、遊技者の興趣は一層向上する。
【０００６】
さらに、最近ではキャラクター人形等の役物の造作や動作が複雑かつ緻密に、また、図柄表示装置に表示される図柄やキャラクターが複雑かつ緻密になってきているので、それに伴って変動入賞装置や図柄表示装置の大型化も図られている。
【０００７】
一方で、遊技盤を保持する枠サイズの規格の観点や遊技機ホールでの遊技機設置数確保の観点から、遊技盤全体の面積をむやみに拡大することはできない。したがって、遊技盤上で内レールによって画定される遊技領域（ゲージ、入賞口、役物等が配置される領域であって、弾球された球が流下する領域範囲。）の大きさにも制限がある。
【０００８】
このように、入賞口の増加、変動入賞装置や図柄表示装置等の大型化によって、遊技領域内にそれらが占める領域が大きくなり、相対的に球が流下可能な領域すなわち遊技領域内でゲージや役物等が配置されていない球通路に相当する領域が小さくなる。それに伴い、球が円滑に流下することが困難となり、遊技領域内での球詰まりが発生し易くなる。
【０００９】
いずれの入賞口にも入賞しない球は、アウト球として遊技領域内のアウト口から円滑に排出する必要がある。アウト口に流入させるべきそのようなアウト球が遊技領域内に球詰まりとなって蓄積すると、遊技の進行に弊害となる上に遊技者にも不快感を与えてしまう。しかも、いったん球詰まりが発生するとその部分が他の球の流下を妨害するので、球詰まりがどんどん大きくなったり、別の箇所での球詰まりを誘発する場合がある。
【００１０】
このような球詰まりを防止するために、例えば遊技領域内に複数のアウト口を形成することが考えられる。アウト口を複数形成することにより、球詰まりが発生する前に球がいずれかのアウト口に流入する可能性が高くなり、結果として球詰まりの発生頻度を低減することができる。遊技領域内に複数のアウト口を形成したものとして、例えば特許文献１に開示のものがある。なお、ここで遊技領域内に配置される羽根車、入賞装置、変動入賞装置、図柄表示装置、変動入賞装置内で動作するキャラクター人形等を総称して役物という。
【特許文献１】特開２００１−１９８２８１
【発明の開示】
【発明が解決しようとする課題】
【００１１】
しかしながら、単に遊技領域内にアウト口を複数配置しても球詰まりを効果的に防止することができない。例えば、遊技盤面中央部の変動入賞装置や図柄表示装置の大型化により、他の入賞装置やゲージは遊技領域周辺部に近い位置、すなわち、内レール近くに配置する必要がある。
【００１２】
しかし、ゲージや入賞装置が内レールに近づいて、内レールとの隙間が狭くなると、その部分を球が流下することができなくなる。そうすると、その隙間部分に球が詰まってしまい。やはり球詰まりを発生してしまう。
【００１３】
本発明は上記の事情に鑑みて為されたもので、遊技領域内に配置される入賞口の個数が増加したり、遊技盤面中央に配置される変動入賞装置や図柄表示装置等の各種役物が大型化しても、球を円滑にアウト口へと流入させることのできる遊技盤、遊技盤ユニット及び遊技機を提供することを例示的課題とする。
【課題を解決するための手段】
【００１４】
上記の課題を解決するために、本発明の例示的側面としての遊技盤は、球を流下させるための遊技盤面と、遊技盤面上に配置された内レールによって画定される遊技領域内に形成され、その周囲に設けられた入賞具と内レールとにより形成される流路を球が通過不可能である位置に形成された入賞口と、遊技領域の最下端まで流下した球を排出するために遊技領域の中央最下端近傍に形成された第１アウト口と、流路の上流側に形成されるとともに流路に向かう球を流入させて排出する第２アウト口とを有する。
【００１５】
ここで、入賞具とは遊技盤面を流下する球を入賞口に流入させるために入賞口周囲に設けられる役物のことである。例えば、左右側面、前方面（遊技者側の面）、底面が閉じて上面が開口した樹脂成形部材であって、上方から流下した球を遊技盤面に形成された入賞口に向けて導くように設けられているものである。入賞具には、いわゆる普通入賞口、電動チューリップ、アタッカー（大入賞口）、回転入賞口の周囲役物等がある。
【００１６】
この遊技盤によれば、第２アウト口が流路に向かう球を流入させて排出するので、内レール近傍に設けられた入賞具と内レールとによって形成される流路に球が詰まってしまうことがない。したがって、入賞口の個数の増加、変動入賞装置や図柄表示装置等の大型化によって入賞口が内レール近傍に形成されていても、球詰まりを発生することなく球を円滑に第１及び第２アウト口に流入させることができる。
【００１７】
本発明の他の例示的側面としての遊技盤は、球を流下させるための遊技盤面と、遊技盤面上に配置された内レールによって画定される遊技領域内に形成され、内レールとにより形成される流路を球が通過不可能である位置に配置されたゲージと、遊技領域の最下端まで流下した球を排出するために遊技領域の中央最下端近傍に形成された第１アウト口と、流路の上流側に形成されるとともに流路に向かう球を流入させて排出する第２アウト口とを有する。
【００１８】
この遊技盤によれば、第２アウト口が流路に向かう球を流入させて排出するので、内レール近傍に配置されたゲージと内レールとによって形成される流路に球が詰まってしまうことがない。したがって、入賞口の個数の増加、変動入賞装置や図柄表示装置等の大型化によってゲージが内レール近傍に配置されていても、球詰まりを発生することなく球を円滑に第１及び第２アウト口に流入させることができる。
【００１９】
遊技領域内において、流路よりも下流側に他の入賞口が形成されていないものであってもよい。
【００２０】
その流路よりも下流側に他の入賞口が形成されていないので、流路近傍のゲージ付近を通過した球が他の入賞口に入賞する可能性がない。したがって、流路に向かう球を第２アウト口に流入させて排出してもこの遊技盤を用いた遊技機で遊技する遊技者に不利益を与えることはない。
【００２１】
その遊技盤において、第１アウト口と第２アウト口とが連通して１のアウト口を形成していてもよい。
【００２２】
第１アウト口と第２アウト口が連通して１のアウト口を形成しているので、アウト口が大きく開口することとなり、より一層アウト球を円滑に排出することができる。また、アウト口を２箇所別々に形成する必要がないので、遊技盤の製造工程も削減することができ製造の効率化に寄与することができる。
【００２３】
本発明のさらに他の例示的側面としての遊技盤ユニットは、内レールと、上記の遊技盤と、遊技盤の遊技領域内に設けられ、球の動作に基づいて所定図柄の変動表示を行う図柄表示装置とを有する。
【００２４】
この遊技盤ユニットは上記の遊技盤を有しているので、内レール近傍に配置されたゲージや入賞具と内レールとによって形成される流路に球が詰まってしまうことがない。したがって、入賞口の個数の増加、変動入賞装置や図柄表示装置等の大型化によってゲージや入賞具が内レール近傍に配置されていても、球詰まりを発生することなく球を円滑にアウト口に流入させることができる。
【００２５】
本発明のさらに他の例示的側面としての遊技機は、球を遊技領域内に向けて発射するための球発射装置と、球を球発射装置に導くべく貯留する球皿と、球発射装置の駆動及び発射強度調整を行うための発射ハンドルと、上記の遊技盤ユニットと、遊技盤ユニットを保持するための保持枠と、遊技盤面と平行に一定距離離間して球の流下路を形成する前面ガラスと、前面ガラスを保持するガラス保持枠とを有する。
【００２６】
この遊技機は上記の遊技盤ユニットを有しているので、内レール近傍に配置されたゲージや入賞具と内レールとによって形成される流路に球が詰まってしまうことがない。したがって、入賞口の個数の増加、変動入賞装置や図柄表示装置等の大型化によってゲージや入賞具が内レール近傍に配置されていても、球詰まりを発生することなく球を円滑にアウト口に流入させることができる。したがって、遊技者は球詰まりによって不快な思いをしたり、球詰まりを除去するための作業によって遊技の中断を余儀なくされることがなく、快適に遊技を継続して楽しむことができる。
【００２７】
本発明の更なる目的又はその他の特徴は、以下添付図面を参照して説明される好ましい実施の形態によって明らかにされるであろう。
【発明の効果】
【００２８】
本発明によれば、内レール近傍に配置されたゲージや入賞具と内レールとによって形成される流路に球が詰まってしまうことがない。したがって、入賞口の個数の増加、変動入賞装置や図柄表示装置等の大型化によってゲージや入賞具が内レール近傍に配置されていても、球詰まりを発生することなく球を円滑にアウト口に流入させることができる。したがって、遊技者は球詰まりによって不快な思いをしたり、球詰まりを除去するための作業によって遊技の中断を余儀なくされることがなく、快適に遊技を継続して楽しむことができる。
【００２９】
ひいては、その遊技盤に大型の変動入賞装置や図柄表示装置を採用することができ、それらの装置内での図柄表示や役物動作を一層演出効果の高いものとすることができる。結果的に、興趣性の高い遊技盤とすることができる。
【発明を実施するための形態】
【００３０】
［実施の形態１］
以下、本発明の実施の形態１について図面を用いて説明する。図１は、本発明の実施の形態１に係る遊技盤１を有するパチンコ機（遊技機）２を正面から見た正面図である。また、図２は、このパチンコ機２のガラス保持枠９を開成した状態を示す外観斜視図である。パチンコ機は、組合せ式パチンコ機、封入循環式パチンコ機等を含む。また、遊技機としてはパチンコ機の他に、遊技媒体としての球を遊技盤上で流下させるスロット機、ゲーム機、アーケードマシン等が概念できる。
【００３１】
パチンコ機２は、球発射装置（図示せず）、上皿（球皿）４ａ、発射ハンドル５、遊技盤ユニット６、機枠（保持枠）７、前面ガラス８、ガラス保持枠９を有して大略構成されている。
【００３２】
図示しない球発射装置は、遊技媒体としての球（パチンコ球）１０を遊技領域１ａに向けて発射（弾球）するためのものである。球発射装置は、例えば発射位置に送り出された球１０を遊技領域１ａに向けて弾球する発射杆、その発射杆を駆動して弾球往復動を行わせる発射モータ、発射杆を付勢して弾球のための力を発生させる発射バネ等を有してユニット構成され、機枠７に取り付けられている。
【００３３】
上皿４ａは、球を球発射装置に導くべく貯留するためのもので、下皿４ｂとともに貯留皿４を構成する。上皿４ａは、パチンコ機２の前面（遊技者側）であって遊技盤１の下方、すなわちガラス保持枠９の下方部分に配置され、下皿４ｂは、その上皿４ａのさらに下方に配置されている。
【００３４】
本実施の形態１においては、上皿４ａと下皿４ｂとを別々に構成しているが、もちろんパチンコ機２に１つの貯留皿４が構成されていてもよい。上皿４ａは、景品球としてパチンコ機２から払い出された球１０を受け取る機能や、その球１０を球供給装置（いわゆる整流器、図示せず。）を介して球発射装置に導くべく貯留する機能を有している。また、上皿４ａに貯留し切れなくなった球を、球排出ボタン４ｃによって下皿４ｂへと排出することができるようになっている。
【００３５】
発射ハンドル５は、球発射装置による弾球強度を調整するためのハンドルであって、遊技者が手で操作するためのものである。例えば、パチンコ機２の前面下部右側に配置されて略円筒形状を呈しており、円筒周面に沿ってその強度調整杆５ａが回転可能となっている。遊技者は、発射ハンドル５を手で保持しつつ、強度調整杆５ａを回転させることにより、球１０の発射強度を調整することができるようになっている。
【００３６】
遊技盤ユニット６は、遊技盤１、遊技領域１ａを画定する内レール１２ａ、遊技盤１及び遊技盤の遊技領域１ａ内に設けられた図柄表示装置１４を有してユニット構成されている。図３に、遊技盤ユニット６の外観斜視図を示す。この遊技盤ユニット６は、球発射装置から発射された球１０がレール１２に沿って遊技領域１ａへ向けて導かれるように、機枠７に保持されている。
【００３７】
遊技盤１は、発射された球１０をその遊技盤面１ｂで流下させるためのものであり、図３に示すように略平板状を呈している。遊技盤１の遊技盤面１ｂには、レール１２が取り付けられている。このレール１２は、発射された球１０を遊技領域１ａへと案内するための外レール１２ｂと遊技領域１ａを画定するための内レール１２ａとによって構成される。
【００３８】
内レール１２ａ及び外レール１２ｂは、それぞれ別々の樹脂部材によって形成され、両者が繋ぎ合わされてレール１２を構成する場合もある。しかし、本実施の形態１においては、細長い金属平板状のレール１２が遊技盤１上に立設されていて、そのレール１２のうち略円形状に遊技領域１ａを取り囲む部分が内レール１２ａを、その内レール１２ａへと繋がる部分であって発射された球１０を遊技領域１ａへと案内する部分が外レール１２ｂを構成している。ここで、遊技領域１ａとは遊技盤面１ｂ上で内レール１２ａによって囲まれた略円形部分をいう。球１０が遊技領域１ａを流下しつつ様々にその流下方向を変え、入賞口に入賞したり、図柄変動遊技が行われたり、種々の演出遊技が行われることにより、遊技者は遊技を楽しむことができるようになっている。
【００３９】
遊技盤１の遊技領域１ａには、内レール近傍に形成された周辺入賞口（入賞口）１６を含む複数の入賞口１７、第１アウト口１８、第２アウト口１９が形成されている（図４参照）。各入賞口１７の周囲には、流下してきた球１０をその入賞口１７へと導くための入賞具１７ａが設けられている。その他にも、遊技領域１ａには、流下する球１０と衝突してその流下方向を変化させる多数のゲージ（釘）２０や羽根車２１等が配置されている。ここで、ゲージとは、球１０の流下方向を変化させたり球１０を誘導するために、遊技領域１ａ内に配置される釘のことをいう。また、連続的又は集合的に配置される一連の釘の配列をゲージという場合もある。
【００４０】
入賞口１７は、球１０の流入（入賞）に基づいて景品球払出しを行うためのものである。入賞口１７は、遊技盤１の遊技領域１ａに開口形成されており、その入賞口１７を通過した球１０が遊技盤面１ｂ側から遊技盤１の裏面１ｃ側へと送られるようになっている。入賞した球１０が図示しない入賞センサによって検出されると、遊技盤裏面１ｃ側の機構盤（図示せず）に配置された球払出し機構によって所定数の景品球が払い出される。下方に流下する球１０を入賞口１７へと導くために、入賞具１７ａは入賞口１７と連通する上面開口１７ｂを有して左右側面、前面及び底面が閉鎖されている。
【００４１】
図４に、周辺入賞口１６近傍を拡大して示す部分拡大図を示す。周辺入賞口１６も他の入賞口１７同様に遊技領域１ａに開口形成されており、その周囲にも他の入賞具１７ａ同様に周辺入賞具１６ａが設けられている。この周辺入賞口１６は、内レール１２ａの近傍に形成されており、周辺入賞具１６ａと内レール１２ａとにより形成される流路２２は、球１０が通過できない寸法となっている。すなわち、内レール１２ａと周辺入賞具１６ａとの最短距離が球１０の直径未満の寸法である。
【００４２】
第１アウト口１８は、遊技領域１ａの中央最下端近傍に形成された開口であり、遊技領域１ａの最下端まで流下した球１０、すなわちいずれの入賞口１６，１７にも入賞しなかった球１０を流入させるためのものである。第１アウト口１８に流入した球１０は、遊技盤面１ｂ側から裏面１ｃ側へと送られ、パチンコ機２から外部に排出されるようになっている。
【００４３】
第２アウト口１９は、流路２２の上流側に形成された開口であり、第１アウト口１８と同様に球１０をパチンコ機２から外部へと排出するためのものである。第２アウト口１９左右側面及び底面は、内レール１２ａの一部と第２アウト口１９の周辺に沿って部分的に立設されたアウト具１９ａとによって閉鎖されており、球１０を確実に第２アウト口１９へと流入させることができるようになっている。
【００４４】
図４に示すように、第２アウト口１９は周辺入賞具１６ａと内レール１２ａとの間に両者に隣接するように形成されており、周辺入賞具１６ａと内レール１２ａとの間の流路へと向かう球１０を流入させて排出することができるようになっている。したがって、流路２２が狭くその幅が、球１０が通過できない寸法であっても、流路２２に球が詰まってしまうことがない。流路２２へと向かう球１０を確実に第２アウト口１９からパチンコ機２外部へと排出できる。
【００４５】
ここで、本実施の形態１においては、図４に示すように周辺入賞口１６の図中直上左側にも直上入賞口２６が形成され、この周辺入賞口１６と直上入賞口２６とによって２連チャッカーを構成している。そして、直上入賞口２６の周囲に設けられた直上入賞具２６ａの左側と内レール１２ａとの間を流下する球１０ａや、直上入賞具２６ａの右側からすなわち周辺入賞具１６ａの上方を右から左へと越えるように流下する球１０ｂが第２アウト口１９へと流入するようになっている。いずれの球１０ａ，１０ｂも引っ掛かったり球詰まりを起こしたりすることなく、円滑に第２アウト口１９へと流入する。
【００４６】
図柄表示装置１４は、遊技領域１ａの略中央に設けられた変動図柄表示用の役物であり、例えば液晶表示部１４ａを有して構成される。この液晶表示部１４ａは、３桁の数字を変動表示する数字表示部１４ｂとアニメキャラクターによるストーリー表示等の演出表示を行う演出表示部１４ｃとを有している。
【００４７】
その数字の変動表示は、球１０の動作に基づいて行われる。例えば、複数の入賞口１７のうちの始動入賞口２７への球の入賞、遊技領域１ａに形成された図示しない始動口や始動ゲートへの球の通過等に基づき、数字表示部１４ｂの数字が変動表示されるようになっている。そして、３桁の数字が所定の態様（例えば、当りに相当する「７・７・７」）で停止すると、遊技領域１ａの中央下方部であって第１アウト口１８の上方に配置された大入賞扉２８ａが開成し、多量の球１０が大入賞口２８へと入賞するように構成されている。
【００４８】
なお、本実施の形態１においては、第１アウト口１８の直上に大入賞口２８が形成されているが、もちろんこれに限られず、大入賞口２８は遊技領域１ａ内のいずれの箇所にも形成可能である。また、遊技領域１ａ内に大入賞口２８を形成しなくともよい。
【００４９】
また、例えば図５に示すように、大入賞口２８を流路２２の上流側に配置し、流路２２よりも下流側にいずれの入賞口１７，２８も形成されないようにすれば、第２アウト口１９に球１０が流入しても、遊技者に不利益を与えることがなく、遊技者が「周辺入賞口１６付近を流下した後に他の入賞口に入賞したかも知れない。」という不快感を抱くこともない。
【００５０】
ここで、流路２２の下流側とは、遊技領域１ａ上で球１０が流下する流下先側の方向を意味する。すなわち流路２２の下流側は、図６（ａ）に示す「流路２２の左右水平方向より下方向のすべての遊技領域部分１ｄ（図６（ａ）中斜線部分）」を意味してもよいし、図６（ｂ）に示す「流路２２付近を流下した球１０がその後に通過する可能性のある遊技領域部分１ｅ（図６（ｂ）中斜線部分）」を意味してもよい。後者の遊技領域部分１ｅは、前者の遊技領域部分１ｄよりも領域部分が狭いものとなる。
【００５１】
機枠７は、遊技盤ユニット６を保持するためのものであり、木材や樹脂等によって形成された枠部材である。全体に略長方形状を呈していて、その中央に遊技盤ユニット６を取り付けるための取付け部や開口部を有しているが、詳細は省略する。この機枠７は、パチンコ機２の筐体を構成する筐体枠３０に取り付けられている。
【００５２】
ガラス保持枠９は、ヒンジ部３２を介して機枠７に開閉可能に取り付けられている。ガラス保持枠９は前面ガラス８を保持するためのものである。その閉状態において遊技者が遊技領域１ａを視認可能に、かつ前面ガラス８と遊技盤面１ｂとによって球１０の流下路を形成するように前面ガラスを保持する。
【００５３】
続いて、このパチンコ機２での遊技において、球１０がアウト口１８，１９へと流入する状況について説明する。
【００５４】
遊技者が発射ハンドル５を操作して強度調整杆５ａを回転させ球発射を行うと、上皿４ａから球供給装置を介して発射位置へと送り出された球１０が球発射装置によって弾球される。弾球された球１０は、発射レール、外レール１２ｂによって遊技領域１ａの上部へと導かれる。
【００５５】
遊技領域１ａの上部へと弾球された球１０は、その勢いを失うと重力によって遊技領域１ａ内を流下する。その際、球１０は、羽根車２１、ゲージ２０等に衝突しつつその流下方向を変化させ、あるものは入賞口１７へと入賞する。
【００５６】
いずれの入賞口１７にも入賞せず、遊技領域１ａの最下端まで流下した球１０は、遊技領域１ａの最下端部に形成された第１アウト口１８へと流入し、遊技盤１の裏面１ｃ側へと送られてパチンコ機２の外部へと排出される。
【００５７】
また、ゲージ２０等に衝突しつつ遊技領域１ａの左側へと流下し、周辺入賞口１６の左側へと至った球１０は、周辺入賞具１６ａと内レール１２ａとによって形成された流路２２へと向かう。このパチンコ機２においては、図柄表示装置１４が大型化されているので、遊技領域１ａ内に占める図柄表示装置１４の割合が大きく、入賞口等の他の役物の配置が周辺に寄せられている。したがって、周辺入賞具１６ａと内レール１２ａとにより形成される流路２２は、球１０の直径以下の寸法となっており、球１０はこの流路２２を通過できない。しかし、流路２２の上流側に第２アウト口１９が形成されているので、球１０は流路２２で球詰まりを生じることなく円滑に第２アウト口１９へと流入し、やはりパチンコ機２の外部へと排出される。
【００５８】
なお、本実施の形態１においては、周辺入賞口１６が遊技領域１ａの左側に形成されている場合について説明したが、もちろん遊技領域１ａの右側に形成されていてもよい。また、２連チャッカーを構成する周辺入賞口１６と直上入賞口２６、第２アウト口１９が遊技盤１に別々に開口形成されている場合について説明したが、遊技盤１においてはこれらの開口がまとめて１の開口として形成されており、遊技盤１の裏面１ｃ側で、それぞれ別々の球経路（周辺入賞球経路、直上入賞球経路、第２アウト球経路、いずれも図示せず。）に導かれるように構成されていてもよい。もちろん遊技領域１ａの中央部分には図柄表示装置１４の代わりに変動入賞装置が配されていてもよい。
【００５９】
また、図７に示すように、第１アウト口と第２アウト口とが連通して１のアウト口１９ｂを形成していてもよい。このように構成することにより、アウト球の排出がより一層円滑になるほか、裏面側のアウト球経路の経路配置の自由度が増したり、アウト口の形成工程が簡略化され、遊技盤１やパチンコ機２の製造効率の向上に寄与することができる。
【００６０】
［実施の形態２］
上記の実施の形態１においては、周辺入賞口１６が内レール１２ａの近傍に形成され、その周囲の周辺入賞具１６ａと内レール１２ａとにより形成される流路２２の上流側に第２アウト口１９を形成している。
【００６１】
しかしながら、本実施の形態２においては、遊技領域１ａに複数のゲージ２０が配置され、図８にその部分拡大図を示すように内レール１２ａ近傍に周辺ゲージ（ゲージ）２０ａが配置されている。そして、この周辺ゲージ２０ａと内レール１２ａとにより球１０が通過できない寸法の流路２２が形成されている。そして、流路２２の上流側には、実施の形態１と同様に第２アウト口１９が形成され、流路２２へと向かう球１０を円滑に流入させて排出するようになっている。
【００６２】
遊技盤１の中央部分に大型化した図柄表示装置１４や変動入賞装置が配され、遊技領域１ａ内での多数のゲージ２０の配置位置が周辺に寄せられた結果、周辺ゲージ２０ａと内レール１２ａとの距離が球１０の直径未満となってしまっても、その流路２２部分の上流側に第２アウト口１９が形成されているので、球詰まりを起こすことなく円滑にアウト球を排出することができる。
【００６３】
以上、本発明の好ましい実施の形態を説明したが、本発明はこれらに限定されるものではなく、その要旨の範囲内で様々な変形や変更が可能である。
【図面の簡単な説明】
【００６４】
【図１】本発明の実施の形態１に係る遊技盤を有するパチンコ機の正面図である。
【図２】図１に示すパチンコ機のガラス保持枠を開成した状態を示す外観斜視図である。
【図３】図１に示すパチンコ機が有する遊技盤ユニットの外観斜視図である。
【図４】図３に示す遊技盤の周辺入賞口近傍を拡大して示す部分拡大図である。
【図５】図３に示す遊技盤の周辺入賞口近傍を拡大して示す部分拡大図であって、大入賞口を流路の上流側に配置した状態を示す図である。
【図６】流路の下流側を示す図であって、（ａ）は、流路の左右水平方向より下方向のすべての遊技領域部分１ｄを下流とした場合を示し、（ｂ）は、流路付近を流下した球がその後に通過する可能性のある遊技領域部分１ｅを下流とした場合を示す。
【図７】図３に示す遊技盤の周辺入賞口近傍を拡大して示す部分拡大図であって、第１アウト口と第２アウト口とが連通して１のアウト口を形成する状態を示す図である。
【図８】本発明の実施の形態２に係る遊技盤の周辺ゲージ近傍を拡大して示す部分拡大図である。
【符号の説明】
【００６５】
１：遊技盤
１ａ：遊技領域
１ｂ：遊技盤面
１ｃ：裏面
１ｄ，１ｅ：遊技領域部分
２：パチンコ機
４：貯留皿
４ａ：上皿（球皿）
４ｂ：下皿
４ｃ：球排出ボタン
５：発射ハンドル
５ａ：強度調整杆
６：遊技盤ユニット
７：機枠（保持枠）
８：前面ガラス
９：ガラス保持枠
１０，１０ａ，１０ｂ：球（パチンコ球）
１２：レール
１２ａ：内レール
１２ｂ：外レール
１４：図柄表示装置
１４ａ：液晶表示部
１４ｂ：数字表示部
１４ｃ：演出表示部
１６：周辺入賞口（入賞口）
１６ａ：周辺入賞具
１７：入賞口
１７ａ：入賞具
１７ｂ：上面開口
１８：第１アウト口
１９：第２アウト口
１９ａ：アウト具
１９ｂ：アウト口
２０：ゲージ
２０ａ：周辺ゲージ（ゲージ）
２１：羽根車
２２：流路
２６：直上入賞口
２６ａ：直上入賞具
２７：始動入賞口
２８：大入賞口
２８ａ：大入賞扉
３０：筐体枠
３２：ヒンジ部
【図１】
2008067939.tif 000003
【図２】
2008067939.tif 000004
【図３】
2008067939.tif 000005
【図４】
2008067939.tif 000006
【図５】
2008067939.tif 000007
【図６】
2008067939.tif 000008
【図７】
2008067939.tif 000009
【図８】
2008067939.tif 000010